(57)【要約】【課題】  本発明は、部品点数を少なくすることができるとともに、組立作業の簡略化を図ることができる階段を提供する。【解決手段】  階段勾配で傾斜する左右一対の桁材１，１と、この左右一対の桁材１，１の長手方向にそれぞれ所定の間隔を隔てて立設された支柱１０，２０と、左右一対の桁材１，１間に支柱１０，２０を介して支持された踏板３０とを具備した。【選択図】      図１
2005315026.tif 000002
【特許請求の範囲】
【請求項１】
階段勾配で傾斜する左右一対の桁材と、この左右一対の桁材の長手方向にそれぞれ所定の間隔を隔てて立設された支柱と、前記左右一対の桁材間に前記支柱を介して支持された踏板とを具備したことを特徴とする階段。
【請求項２】
前記支柱は、少なくとも前記左右一対の桁材の一方の側において、前記桁材の上方へ延設されることで、笠木を支持して手摺を形成してなることを特徴とする請求項１に記載の階段。
【請求項３】
前記踏板は、前記左右の支柱間に架け渡されて設けられた支持部材に支持されてなることを特徴とする請求項１または請求項２に記載の階段。
【請求項４】
前記支持部材は前記桁材の傾斜方向に隣り合う、左右それぞれ２つずつの前記支柱に支持されてなる請求項３に記載の階段。
【請求項５】
前記手摺が形成されない側の前記桁材に立設された前記支柱は、その上端が前記支持部材の固定位置までの高さにされてなる請求項２から請求項４のいずれか１項に記載の階段。
【請求項６】
前記支持部材に、蹴込み板の上端が保持されてなることを特徴とする請求項３から請求項５のいずれか１項に記載の階段。
【請求項７】
前記笠木を支持する隣合う支柱間に、化粧板が取り付けられてなることを特徴とする請求項２から請求項６のいずれか１項に記載の階段。
【請求項８】
前記桁材が断面中空の押出形材からなることを特徴とする請求項１から請求項７のいずれか１項に記載の階段。
【請求項９】
前記桁材、前記支柱、前記踏板の一種又は全種がアルミニウム合金製の押出形材からなることを特徴とする請求項１から請求項８のいずれか１項に記載の階段。
【発明の詳細な説明】
【技術分野】
【０００１】
本発明は、階段に関する。
【背景技術】
【０００２】
従来、建物の内部又は外部に設置される階段として多種多様なものが提案されている。そのうちの一つに、上下階に掛け渡した左右の側桁に多数の踏板を架設した構造のものが知られている（例えば、特許文献１参照）。
【０００３】
このような階段では、側桁に対して竪材が所定間隔で取り付けられ、この竪材に踏板受け材が取り付けられて、踏板受け材に踏板が支持されるようになっている。また、手摺の支柱となる支柱が側桁の外側に対して取り付けられ、この支柱に手摺が取り付けられるようになっている。
【特許文献１】特開２００３−３２８５２０（段落０００６〜０００７、図１，図２）
【発明の開示】
【発明が解決しようとする課題】
【０００４】
しかしながら、前記従来の階段は、部品点数が多く、しかも組立てが煩雑であるという問題があった。すなわち、桁材に対する部材の取付工程は、大きく分けて２つの取付工程からなっており、一つは、踏板受け材を支持するための竪材を桁材に対して取り付けるための取付工程であり、他の一つは、笠木を支持するための支柱を桁材に対して取り付けるための取付工程である。つまり、竪材を取り付けるという取付工程を行った上で、さらに、笠木を支持するための支柱を取り付けるという前記取付工程とは別の取付工程を行う必要があり、組立工数が多く煩雑となっていた。しかも、前記各工程では、それぞれ独立した部材が用いられるため、部品点数も必然的に多くなっていた。
【０００５】
そこで、本発明は、部品点数を少なくすることができるとともに、組立作業の簡略化を図ることができる階段を提供することを課題とする。
【課題を解決するための手段】
【０００６】
前記課題を解決するため、本発明の階段は、階段勾配で傾斜する左右一対の桁材と、この左右一対の桁材の長手方向にそれぞれ所定の間隔を隔てて立設された支柱と、前記左右一対の桁材間に前記支柱を介して支持された踏板とを具備したことを特徴とする。
【０００７】
かかる階段によれば、左右一対の桁材間に支柱を介して踏板を支持することにより、階段を組み立てることができる。支柱は、桁材の長手方向にそれぞれ所定の間隔を隔てて立設されており、踏板は、この支柱に対して取り付けられるようになっているので、桁材の上方位置に露出した状態に配置されることとなる。したがって、踏板が桁材の内側に納まることのない斬新なデザインの階段が得られる。また、踏板が桁材に直接取り付けられる構成ではないので、デザインの自由度が向上された階段が得られるとともに、重圧な構造とならず、軽やかな印象を付与することができる。さらに、踏板が桁材に直接取り付けられる構成ではないので、桁材自体を簡単な構造とすることもできる。
【０００８】
前記支柱は、少なくとも前記左右一対の桁材の一方の側において、前記桁材の上方へ延設されることで、笠木を支持して手摺を形成してなる構成とするのがよい。
【０００９】
かかる階段によれば、笠木を設ける側の支柱を桁材の上方へ延設することにより、踏板を支持している支柱を手摺の支柱として兼用することができ、これによって、別途、笠木を支持するための部材を桁材に設ける必要がなくなる。
したがって、部品点数を少なくすることのできる階段が得られる。また、手摺の支柱として兼用するように構成した側の支柱は、踏板を支持する部材として桁材に固定することで、同時に手摺の支柱として桁材に構築されることとなるので、組立作業の簡略化を図ることができるようになる。
また、言い換えれば、手摺の支柱に対して踏板が支持される構造となるので、斬新でデザインの自由度が高く、見栄えのよい階段が得られる。
【００１０】
また、前記踏板としては、前記左右の支柱間に架け渡されて設けられた支持部材に支持されてなる構成とするのがよい。
このような支持部材を用いて踏板を支持するようにした階段によれば、左右方向（桁材の短手方向）の変位・変形が小さく抑えられることとなる。すなわち、階段の左右方向（桁材の短手方向）の剛性が向上するので、例えば、階段昇降時の横揺れを抑制することができる。また、踏板を支柱に直接支持する構造に比べて踏板の強度が要求されなくなり、これにより、踏板の材質選定の自由度が高くなるという利点が得られる。
【００１１】
さらに、前記支持部材は前記桁材の傾斜方向に隣り合う、左右それぞれ２つずつの前記支柱間に支持されてなる構成とするのがよい。
かかる階段によれば、傾斜方向に隣り合う、左右それぞれ２つずつの支柱間に支持部材が支持されることとなるので、支持部材は前後左右の合計４つの支持ポイントで支持されることとなり、結果、踏板の安定性に優れた階段が得られる。また、階段の水平方向の剛性も向上する。
【００１２】
また、前記手摺が形成されない側の前記桁材に取り付けられる前記支柱は、その上端が前記支持部材の固定位置までの高さにされてなる構成とするのがよい。
かかる階段によれば、手摺が形成されない側の支柱の上端が踏板に隠れるように構成することができ、踏板の上面を見栄えよくすることができる。また、このように構成することにより、少なくとも踏板の上面に支柱の上端が突出するような支柱の取付構造とはならないので、その分、踏板の上面積が広くなるという利点が得られる。
【００１３】
さらに、支持部材に、蹴込み板の上端が保持されてなる構成とするのがよい。
かかる階段によれば、踏板を支持するための支持部材を利用して蹴込み板の上端が保持されるので、組み立てが行い易く施工性のよい階段が得られる。
【００１４】
また、前記手摺用の支持柱となる支柱に、化粧板が取り付けられてなる構成とすることができる。
かかる階段によれば、支柱に化粧板が取り付けられることによって外観を向上させることができ、設置場所のニーズに対応した階段を得ることができる。
なお、化粧板は、支柱の全体に取り付けたり、支柱の一部に取り付けたりする取付態様を採ることができる。
【００１５】
また、前記桁材が断面中空の押出形材からなるように構成するのがよい。
かかる階段によれば、工場製作の容易化および部材の軽量化を図りながら構造部材としての強度も高めることができる。ここで、断面中空の押出形材とは、押出し成形により内部に空洞を有する状態に形成された部材であって、所定の断面性能の発揮が可能な断面形状とされたものをいう。
【００１６】
さらに、前記桁材、前記支柱、前記踏板の一種又は全種がアルミニウム合金製の押出形材からなるように構成するのがよい。
かかる階段によれば、強度の割に軽量で腐食し難いというアルミニウム合金のメリットを活かすことができる。すなわち、階段が軽量になるので、施工時の取り扱いが容易で、また、従来の木造住宅にも容易に適用することができる。また、廃棄の際の取扱も容易になる。
【発明の効果】
【００１７】
本発明によれば、部品点数を少なくすることができるとともに、組立作業の簡略化を図ることができる階段が得られる。
【発明を実施するための最良の形態】
【００１８】
以下、本発明の実施の形態を、添付した図面を参照しつつ詳細に説明する。
（全体構成）
まず、本発明に係る階段の全体構成を、図１から図６を参照して説明する。
ここで、図１は本発明の一実施の形態に係る階段の全体を示した斜視図、図２は同じく階段の全体を示した正面図、図３は同じく階段の全体を示した側面図、図４は同じく階段の部分拡大斜視図、図５は階段の構造を説明するための断面図であり、（ａ）は図３のＣ−Ｃ拡大断面図、（ｂ）は図３のＤ−Ｄ拡大断面図、図６（ａ）は本発明の一実施の形態に係る階段の部分側断面図、図６（ｂ）は同じく部分拡大側断面図である。
【００１９】
図１から図６に示すように、本発明に係る階段は、押出形材よりなる桁材を側桁１として用いた階段であり、階段勾配で傾斜する左右一対の側桁１，１と、この左右一対の側桁１，１の長手方向（傾斜方向）にそれぞれ所定の間隔を隔てて立設された支柱１０，２０と、左右一対の側桁１，１間に支柱１０，２０を介して支持された踏板３０とを主要部として構成されている。本実施の形態では、一方の側桁１（図２の紙面上、右側に位置する側桁１）に立設された支柱２０が、手摺となる笠木２０Ａの支柱として兼用された構成となっている。また、側桁１は、図１〜図３に示すように、その下端１Ａに取り付けられたサポートシューＳ１を介して階下の床面Ｆ１に固定され、上端１Ｂに取り付けられたサポートシューＳ２を介して階上の床面Ｆ２を支持する梁材Ｆ２１（構造体）に固定されている。
本実施の形態では、側桁１、支柱１０，２０、後記する踏板受け材４０Ａがアルミニウム合金製の押出形材により形成されている。
また、住宅用の階段として用いた場合、踏板３０は木製の素材で形成されることが好ましい。
なお、以下の説明において、「前」、「後」、「左」、「右」とは、正面から階段の上り方向を向いたときの手前側、後ろ側、左側、右側を指すものとする。
【００２０】
（側桁）
次に、側桁１について、主として図４を参照して説明する。
側桁１は、図４に示すように、アルミニウム合金製の中空押出形材からなり、断面が縦長の略矩形に形成されている。側桁１の構成をより詳細に説明すると、この側桁１は、下壁２と、上壁４と、これら下壁２と上壁４とを連結する側壁３Ａ，３Ｂとを備えている。
下壁２および上壁４には、階段の外側へ向けて張り出す外方縁部２ａ，４ａが形成され、また、下壁２には、階段の内側へ向けて張り出す受け部５が形成されている。この受け部５は、前記支柱１０，２０の傾斜状に切断された下端部１１，２１（図５（ａ）（ｂ）参照）が載置される大きさに形成されている。
【００２１】
このような側桁１は、図１，図３に示すように、下端１Ａおよび上端１Ｂが任意の角度に切断加工されて、設置場所に対応した端部形状とされる。つまり、下端１Ａについては、階下の床面Ｆ１と平行（すなわち水平面）になるように切断加工されるとともに、上端１Ｂについては、階上の床面Ｆ２を支持する梁材Ｆ２１と平行（すなわち鉛直面）になるように切断加工される。このような切断加工を行うことによって、側桁１の下端１Ａおよび上端１Ｂを、その設置面（床面Ｆ１，梁材Ｆ２１）に対応する形状とすることができると同時に、後記するサポートシューＳ１，Ｓ２を取り付けるための取付部として機能させることができる。なお、この下端１Ａおよび上端１Ｂの切断加工は、予め工場等において行うこともできるし、設置場所において適宜行うこともできる。
なお、側桁１には、図には示さないが、補強等の目的で側壁３Ａ，３Ｂ間等に仕切り壁を適宜設けるようにしてもよい。
【００２２】
（支柱）
図７は階段の構造を示した部分分解斜視図である。支柱１０、支柱２０は、図４〜図６にも示すように、異なる長さに形成されており、支柱１０が側桁１の一方の側において踏板３０の支柱としてのみ機能するように全長が短く形成されているのに対し、支柱２０が側桁１の他方の側において、踏板３０の支柱および手摺用の支柱として機能するように全長が長く形成されている。本実施の形態では、図２に示すように、支柱１０が、正面から階段を見て左側に位置するように設けられており、また、支柱２０が、これとは反対側の右側に位置するように設けられている。本実施の形態では、図１に示すように、支柱１０が立設される側を建物の構造体の壁面Ｗ側としている。
【００２３】
支柱１０は、図５（ａ）（ｂ）に示すように、側桁１に立設された状態で、その各上端１２ａが、後記する支持部材４０（図６（ａ）参照）の踏板受け材４０Ａの固定位置までの高さとなるように設けられている。
支柱１０には、図７に示すように、後記する支持部材４０を支持するための上支持孔１３ａおよび下支持孔１３ｂと、支柱１０を側桁１に固定するための２つのボルト孔１２，１２とが、鉛直方向に所定の間隔を置いて形成されている。上支持孔１３ａは、後記する支持部材４０の前フレーム４０Ｂを支持するための支持孔であり、また、下支持孔１３ｂは、同じく支持部材４０の後フレーム４０Ｃを支持するための支持孔である。そして、２つのボルト孔１２，１２には、取付ボルト７，７が挿通可能である。
支柱１０の下端部１１は、傾斜状に切り欠かれており、これにより、支柱１０は、側桁１の受け部５に対してこの下端部１１が載置された状態で、側桁１に対して鉛直状に立設されることとなる。なお、図１に示すように、階段の最下段の踏板３０を支持する支柱１０’は、側桁１に固定できないので、後記するサポートシューＳ１に固定されるようになっている。
【００２４】
このような支柱１０は、図７に示すように、前記側桁１の受け部５に下端部１１を載置した状態で、取付ボルト７，７をボルト孔１２，１２から側壁３Ａのボルト孔３ａ，３ａにそれぞれ挿通し、側桁１の外方からナット８，８をそれぞれ螺合させることで、側桁１に固定されるようになっている（図５（ａ）（ｂ）参照）。
【００２５】
次に、支柱２０は、図５（ａ）（ｂ）に示すように、側桁１に取り付けられた状態で、前記支柱１０よりも上方に高く延設されており、前記したように、手摺の支柱としての役割を兼ね備えたものとなっている。
支柱２０には、図７に示すように、後記する支持部材４０を支持するための上支持孔２３ａおよび下支持孔２３ｂと、支柱２０を側桁１に固定するための２つのボルト孔２２，２２とが、鉛直方向に所定の間隔を置いて形成されている。上支持孔２３ａは、後記する支持部材４０の前フレーム４０Ｂを支持するための支持孔であり、また、下支持孔２３ｂは、同じく支持部材４０の後フレーム４０Ｃを支持するための支持孔である。また、２つのボルト孔２２，２２には、取付ボルト７，７が挿通可能である。そして、支柱２０は、その下端部２１が、側桁１の受け部５に対して載置可能に傾斜状に切り欠かれている。
【００２６】
このような支柱２０は、図７に示すように、前記側桁１の受け部５に下端部２１を載置した状態で、取付ボルト７，７をボルト孔２２，２２から側壁３Ａのボルト孔３ａ，３ａにそれぞれ挿通し、側桁１の外方からナット８，８をそれぞれ螺合することで側桁１に固定されるようになっている（図５（ａ）（ｂ）参照）。
そして、このように立設された各支柱２０の上端には、笠木２０Ａが図示しないボルト等により固定され、手摺が構築されるようになっている（図１〜図３参照）。
【００２７】
（支持部材）
図８（ａ）は支持部材の構造を示した拡大斜視図、図８（ｂ）は支持部材に踏板を支持した状態を示す拡大斜視図である。
図８（ａ）に示すように、支持部材４０は、アルミニウム合金製の中空押出形材からなる踏板受け材４０Ａと、前フレーム４０Ｂおよび後フレーム４０Ｃとを備えて構成される。
踏板受け材４０Ａは、基部４１と、この基部４１の前後にそれぞれ一体的に形成された湾曲掛け部４２，４２とからなっている。基部４１は、下部４１ａと、上部４１ｂと、下部４１ａと上部４１ｂとを連結する仕切壁４１ｃ，４１ｃとを有している。湾曲掛け部４２，４２の上部には、凹溝４３，４３がそれぞれ形成されており、この凹溝４３，４３内に、左右２つのボルト挿通孔４３ａ，４３ａがそれぞれ穿設されている。
【００２８】
前フレーム４０Ｂおよび後フレーム４０Ｃは、アルミニウム合金製のパイプ材等からなり、大径部４４と、この大径部４４の左右にそれぞれ一体的に設けられた小径部４５，４５とを備えている。大径部４４は、図６（ｂ）に示すように、踏板受け材４０Ａの湾曲掛け部４２が略密着した状態で掛けられる大きさに形成されている。また、図８（ａ）に示すように、大径部４４には、前記踏板受け材４０Ａの湾曲掛け部４２，４２のボルト挿通孔４３ａ，４３ａに対応した位置に、図示しないボルト穴が形成されている。これによって、図７に示すように、４本のボルト４７を用いることにより、前フレーム４０Ｂおよび後フレーム４０Ｃに踏板受け材４０Ａの湾曲掛け部４２，４２を固定することができる。
【００２９】
小径部４５は、前記支柱１０，２０の上支持孔１３ａ，２３ａまたは下支持孔１３ｂ，２３ｂ（図７参照）に対して挿通可能に設けられており、その先端部には図示しないねじが形成されている。
前フレーム４０Ｂの大径部４４には、図６（ｂ）に示すように、蹴込み板５０の上端部５０ａを係合することが可能な係合溝４４ａが設けられている。なお、図には示さないが、支柱１０，２０の蹴込み板５０との対向部位に、蹴込み板５０の側部を係合することが可能な係合溝を設けて、蹴込み板５０の両側部が支柱１０，２０に対して係合されるように構成してもよいし、また、後記する踏板３０の上面に、蹴込み板５０の下端部が係合される図示しない係合溝を設けてもよい。
【００３０】
このような前フレーム４０Ｂおよび後フレーム４０Ｃの支柱１０，２０への支持は、その各小径部４５を前記上支持孔１３ａ，２３ａおよび前記下支持孔１３ｂ，２３ｂに挿通し、ナット４６をそれぞれ螺合することにより行われる。これにより、支持部材４０は側桁１の傾斜方向に隣り合う、左右それぞれ２つずつの前記支柱１０，２０間に支持されることとなる。このとき、図６（ａ）に示すように、手前側に位置する前フレーム４０Ｂと後ろ側に位置する後フレーム４０Ｃとが同一の高さに位置するように配置される。これにより、踏板受け材４０Ａが水平に保持されるようになる。
【００３１】
（踏板）
踏板３０は、図６（ａ）（ｂ），図７，図８（ｂ）に示すように、踏板受け材４０Ａの上面に支持固定される。図８（ｂ）に示すように、踏板３０の手前側の右部分には、前記支柱２０が位置する支柱用切欠３１が形成され、また、踏板３０の後ろ側の左右部分には、階段構築時に、支柱１０および支柱２０を踏板３０に逃がすための切欠部３２，３２が形成されている。
また、踏板３０には、支持部材４０に固定するための図示しないボルト取付孔が形成されるが、その固定手段は適宜の手段を用いることができる。なお、踏板３０は、木製の他、金属製などの板材を用いてもよい。
【００３２】
（サポートシュー）
サポートシューＳ１は、図９（ａ）に示すように、階下の床面Ｆ１に当接する床面当接部Ｓ１１と、この床面当接部Ｓ１１に一体的に形成された鉛直平板状の支持端Ｓ１２とを備え、側桁１の下端１Ａと階下の床面Ｆ１との間に介設されて、下端１Ａを床面Ｆ１に固定するようになっている。このときサポートシューＳ１の床面当接部Ｓ１１には、最下段の踏板３０を支持している支柱１０，１０’（図１参照）および支柱２０が支持されるとともに、サポートシューＳ１の鉛直部Ｓ１２の後ろ側が、側桁１の上壁４に形成された切欠き４’から側桁１の中空部６に挿入されて取付ボルト７およびナット８により固定されるようになっている。なお、サポートシューＳ１の手前側は、支柱２０に対して固定されるようになっている。
【００３３】
また、サポートシューＳ２は、図９（ｂ）に示すように、階上の床面Ｆ２を支持する梁材Ｆ２１に当接する当接部Ｓ２１と、この当接部Ｓ２１に一体的に形成され、側桁１の中空部６に挿入されて取付ボルト７およびナット８により固定される傾斜平板状の支持端Ｓ２２とを備え、側桁１の上端１Ｂと階上の梁材Ｆ２１との間に介設されて、上端１Ｂを梁材Ｆ２１に固定するようになっている。
本実施の形態では、サポートシューＳ１，Ｓ２がアルミニウム合金製の押出形材を所定の長さに切断加工することにより形成されている。
【００３４】
（化粧板）
化粧板６０は、図１に示すように、合成樹脂製の半透明板からなり、隣り合う支柱２０間に取り付けられている。図１０は化粧板６０の支柱２０への取付構造を説明するための拡大斜視図である。
化粧板６０は、上辺６１と下辺６２とが傾斜状（階段勾配）に形成されており、側辺６３，６３が支柱２０，２０に係合することにより支持されるようになっている。支柱２０には、化粧板６０を支持するための支持構造として、支柱２０の手前側２５および後ろ側２６に、溝部２５ａおよび溝部２６ａが形成されており、この溝部２５ａおよび溝部２６ａに、化粧板６０を保持するための保持溝２７ａを有するスペーサ２７が係合されている。また、化粧板６０が保持されることのない側（隣り合う支柱２０のない、最端部にある支柱２０の外側）の溝部２５ａおよび溝部２６ａ（図１０では、階下側の支柱２０の溝部２５ａ側のみ図示）には、化粧用のスペーサ２８が係合される。このようなスペーサ２７，２８は、アルミニウム合金製の押出形材で設けてもよいし、合成樹脂製、木製およびその他の金属製などの材料から設けてもよい。
【００３５】
このような化粧板６０の固定は、化粧板６０の側辺６３，６３をスペーサ２７の保持溝２７ａ，２７ａにそれぞれ係合させ、側辺６３，６３の上下端側方に４本の取付ビス６４をスペーサ２７に向けてそれぞれ螺合することにより行う。すなわち、４本の取付ビス６４を側辺６３，６３の上下端側方に螺合することで、取付ビス６４の各頭部が化粧板６０の保持溝２７ａに沿った移動を規制することとなり、これによって、化粧板６０は、支柱２０に対して抜け落ち不能に取り付けられることとなる。なお、化粧板６０としては、木製、金属製等、種々の素材により形成されたものを使用することができる。
【００３６】
（階段の構築手順）
次に、本発明に係る階段の構築手順を各図を参照して説明する。
階段の構築する際の加工は、工場等において予め全般的に行っておく（切断加工等）ことができ、階段の設置場所に各構成部材を搬入して順次組み付けることにより階段を構築することができる。
【００３７】
はじめに、側桁１，１に対して、図７に示すように、支柱１０および支柱２０を取付ボルト７およびナット８を用いて固定する。
次に、前フレーム４０Ｂおよび後フレーム４０Ｃに設けた各小径部４５を、支柱１０，２０の上支持孔１３ａ，２３ａおよび下支持孔１３ｂ，２３ｂにそれぞれ挿入して、その各先端部のねじにナット４６を螺合する。
【００３８】
その後、側桁１，１を、階下の床面Ｆ１と階上の梁材Ｆ２１との間に架設する。このとき、側桁１の下端１Ａと階下の床面Ｆ１との間にサポートシューＳ１を介設するとともに、側桁１の上端１Ｂと階上の梁材Ｆ２１との間にサポートシューＳ２を介設する。なお、サポートシューＳ１，Ｓ２は、側桁１を架設する前の段階で、側桁１の下端１Ａおよび上端１Ｂに対して取り付けておくようにしてもよい。
【００３９】
次に、図６（ａ），図７、図８（ａ）に示すように、前フレーム４０Ｂおよび後フレーム４０Ｃに踏板受け材４０Ａをボルト４７を用いて取り付け、さらに、この踏板受け材４０Ａに踏板３０を図示しない取付ボルトを用いて固定する（図６（ｂ），図８（ｂ）参照）。このようにして、階段の主要部分の組立を完了する。
【００４０】
また、サポートシューＳ１の取り付けを行う際に、階段の最下段部分の構築を行う。すなわち、階段の最下段部分は、図１に示すように、側桁１，１の手前側に支柱１０’，支柱２０が位置する構造であるので、サポートシューＳ１を取り付ける際に、これらの支柱１０’、支柱２０を立設するとともに、これらの間に、支持部材４０と踏板３０との組み付けを行う。
【００４１】
その後、図１０に示すように、支柱２０間に化粧板６０を取り付ける。化粧板６０の取り付けは、支柱２０の溝部２５ａおよび溝部２６ａに係合されたスペーサ２７，２７の保持溝２７ａ，２７ａに、化粧板６０の側辺６３，６３を、例えば、上方からスライド挿入することにより係合することができる。そして、その側辺６３，６３の上下端側方に４本の取付ビス６４をスペーサ２７に向けて螺合することにより、化粧板６０を支柱２０間に固定することができる。その後、支柱２０の各上端に笠木２０Ａを載置して図示しないボルト等により取り付けることで、手摺を設ける。
以上のようにして、片側に手摺（支柱２０，笠木２０Ａ）を備えた階段が構築される。
なお、組立手順として側桁１，１の架設前に側桁１，１間に踏板３０を取り付けたり笠木２０Ａや化粧版６０を取り付けたり、前フレーム４０Ｂおよび後フレーム４０Ｃの取り付け前に側桁１，１の架設を行う等の変更は設置場所の状況に応じ適宜行える。
【００４２】
このような階段によれば、支柱１０，２０は、側桁１，１の長手方向にそれぞれ所定の間隔を隔てて立設されており、踏板３０は、この支柱１０，２０に対して取り付けられる支持部材４０を介して取り付けられるようになっているので、側桁１，１の上方位置に露出した状態に配置されることとなる。したがって、各踏板３０が側桁１，１の内側に納まることのない斬新なデザインの階段が得られる。また、踏板３０が側桁１，１に支柱１０，２０を介して取り付けられ、側桁１，１に対して直接取り付けられる構成ではないので、デザインの自由度が向上された階段が得られるとともに、重圧な構造とならず、軽やかな印象を付与することができる。さらに、踏板３０が側桁１，１に直接取り付けられる構成ではないので、側桁１，１自体を簡単な構造とすることもできる。これにより、押し出し成形性に優れ、生産性に優れた側桁１，１を有する階段が得られる。また、階段の組み立てに際して、特別な工具や溶接も必要としないので、熟練工でなくとも容易に階段を構築することができる。
【００４３】
また、踏板３０を支持している支柱１０，２０のうち、一方の支柱２０側が手摺の支柱として兼用される構造であるので、これによって、別途、笠木２０Ａを支持するための部材を側桁１に設ける必要がなくなる。したがって、部品点数を少なくすることのできる階段が得られる。
さらに、支柱２０は、踏板３０を支持する部材として側桁１に固定することで、同時に手摺の支柱として側桁１に構築されることとなるので、組立作業の簡略化を図ることができる。
また、言い換えれば、手摺の支柱２０に対して踏板３０が支持される構造であるので、斬新でデザインの自由度が高く、見栄えのよい階段が得られる。
【００４４】
さらに、踏板３０は、左右の支柱１０，２０間に架け渡されて設けられた支持部材４０に支持される構成であるので、左右方向（側桁１の短手方向）の変位・変形が小さく抑えられることとなる。すなわち、階段の左右方向（側桁１の短手方向）の剛性が向上するので、例えば、階段昇降時の横揺れを抑制することができる。また、踏板３０を支柱１０，２０に直接支持する構造に比べて踏板３０の強度が要求されなくなり、これにより、踏板３０の材質選定の自由度が高くなるという利点が得られる。
【００４５】
また、支持部材４０は側桁１，１の傾斜方向に隣り合う、左右それぞれ２つずつの支柱１０，２０間に支持されるので、支持部材４０は前後左右の合計４つの支持ポイントで支持されることとなり、結果、踏板３０の安定性に優れた階段が得られる。これにより、階段の横揺れ方向の剛性も向上する。
【００４６】
さらに、手摺の形成されることのない側に立設された支柱１０は、図５（ａ）（ｂ）に示すように、その上端１２ａが支持部材４０の踏板受け材４０Ａの固定位置までの高さとなっているので、支柱１０の上端１２ａが踏板３０に隠れるようになり、踏板３０の上面を見栄えよくすることができる。また、このように構成することにより、少なくとも踏板３０の上面に支柱１０の上端１２ａが突出する取付構造とはならないので、その分、踏板３０の上面積が広くなるという利点が得られる。
【００４７】
また、支持部材４０の前フレーム４０Ｂに、蹴込み板５０の上端部５０ａが保持されるので、組み立てが行い易く施工性のよい階段が得られる。
【００４８】
さらに、支柱２０間に化粧板６０が取り付けられることで外観を向上させることができ、設置場所のニーズに対応した階段を得ることができる。
なお、化粧板６０は、本実施の形態で説明したように、支柱２０の中間地位に取り付ける取付態様の他、支柱２０の一部あるいは全体に取り付ける取付態様を採ることができる。
【００４９】
また、側桁１，１，支柱１０，２０，踏板受け材４０Ａが断面中空の押出形材からなるので、工場製作の容易化および部材の軽量化を図りながら構造部材としての強度も高めることができる。さらに、このようにアルミニウム合金製の押出形材から階段を構成することにより、強度の割に軽量で腐食し難いというアルミニウム合金のメリットを活かした軽構造とすることができ、従来の木造住宅にも容易に適用することができる。また、廃棄の際の取扱も容易になる。
【００５０】
さらに、サポートシューＳ１，Ｓ２がアルミニウム合金製の押出形材を切断加工（切り出し加工）して形成されるので、サポートシューＳ１，Ｓ２の生産性が向上するという利点が得られる。なお、サポートシューＳ１，Ｓ２はアルミニウム合金製の鋳造品で形成しても差し支えない。
【００５１】
なお、前記した階段の構築手順は一例であり、適宜変更しても差し支えない。また、支柱１０，２０は、工場等で予め側桁１に対して仮止めしておいてもよいし、固定的に組み付けておくようにしてもよい。
【００５２】
以上、本発明の一実施の形態について説明したが、本発明は、前記した各実施形態に限定されるものではなく、適宜変更して実施することができる。
例えば、側桁１，１、支柱１０，２０、踏板３０、踏板受け材４０Ａ等の形状は、前記した実施形態のものに限られることはなく、任意の形状のものを使用することができる。
【図面の簡単な説明】
【００５３】
【図１】本発明の一実施の形態に係る階段の全体を示した斜視図である。
【図２】同じく階段の全体を示した正面図である。
【図３】同じく階段の全体を示した側面図である。
【図４】同じく階段の部分斜視図である。
【図５】階段の構造を説明するための断面図であり、（ａ）は図３のＣ−Ｃ拡大断面図、（ｂ）は図３のＤ−Ｄ断面図である。
【図６】（ａ）は本発明の一実施の形態に係る階段の部分側断面図、（ｂ）は同じく部分拡大側断面図である。
【図７】階段の構造を示した部分分解斜視図である。
【図８】（ａ）は支持部材の構造を示した斜視図、（ｂ）は支持部材に踏板を支持した状態を示す斜視図である。
【図９】（ａ）は側桁の下端におけるサポートシューの固定構造を示す斜視図、（ｂ）は側桁の上端におけるサポートシューの固定構造を示す斜視図である。
【図１０】化粧板の支柱への取付構造を説明するための拡大斜視図である。
【符号の説明】
【００５４】
１      側桁
１Ａ    下端
１Ｂ    上端
１０    支柱
１２ａ  上端
２０    支柱
２０Ａ  笠木
３０    踏板
４０    支持部材
４０Ａ  踏板受け材
４０Ｂ  前フレーム
４０Ｃ  後フレーム
４２    湾曲掛け部
５０    蹴込み板
５０ａ  上端
６０    化粧板
Ｆ１    床面
Ｆ２    床面
Ｆ２１  梁材
Ｓ１    サポートシュー
Ｓ２    サポートシュー
【図１】
2005315026.tif 000003
【図２】
2005315026.tif 000004
【図３】
2005315026.tif 000005
【図４】
2005315026.tif 000006
【図５】
2005315026.tif 000007
【図６】
2005315026.tif 000008
【図７】
2005315026.tif 000009
【図８】
2005315026.tif 000010
【図９】
2005315026.tif 000011
【図１０】
2005315026.tif 000012